(57)【特許請求の範囲】
【請求項１】
屋根の下地上に固定される取付基板に、屋根材係止片を設けた吊子本体を、スライド自在に取付けてなり、
前記取付基板又は吊子本体の一方に凹部を形成し、他方に前記凹部に嵌合する凸部を形成してなる、前記取付基板及び吊子本体のスライド位置を仮決めする仮止め部を有しており、
前記取付基板又は吊子本体の一方にスライド用長孔を形成すると共に、他方に前記スライド用長孔をスライド可能なスライド軸を固定する構造とし、
前記仮止め部の凸部を前記スライド軸で構成する一方、前記仮止め部の凹部を前記スライド用長孔の適所に設けた、前記スライド軸のスライドを規制する規制部で構成しており、
前記規制部は、前記スライド用長孔の長手方向の適所を、前記スライド軸の直径と略同幅な幅狭に形成してなることを特徴とする吊子。
【発明の詳細な説明】
【技術分野】
【０００１】
本発明は、屋根の下地上に固定する取付基板に、屋根材係止片を設けた吊子本体を、スライド自在に取付けると共に、前記屋根材係止片に屋根材を係止して、前記屋根材を取付けるための吊子に関する。
【背景技術】
【０００２】
一般に、体育館等の構造物の屋根には、長尺な帯板状の屋根材が葺かれている。
【０００３】
この屋根材を葺くには、屋根の下地上に吊子を固定しておき、この吊子に前記屋根材を係止して取付けてなる。
【０００４】
そのため、従来の吊子は、吊子本体の下端に前記屋根の下地上に固定する固定部を設けると共に、前記吊子本体の上端に屋根材係止片を設けてなる。
【０００５】
そして、前記吊子の固定部を屋根の下地上に固定し、前記屋根材係止片に前記屋根材を係止することによって、屋根材を葺くのである（例えば、特許文献１参照。）。
【０００６】
ところが、前記屋根材（特に、金属製屋根材）は、温度変化によって熱伸縮を生じるため、近年では、前記屋根材を摺動可能に係合する吊子が開発されつつある（例えば、特許文献２参照。）。
【特許文献１】特許第３６５７９４５号（図４、参照。）
【特許文献２】特許２５４０７２０号
【発明の開示】
【発明が解決しようとする課題】
【０００７】
この吊子は、平面状の第一連結部と、この両側に下地に固定される固定部とを備えた下部吊子と、屋根材側縁を保持する保持部と、前記第一連結部に対応する第二連結部とを備えた上部吊子からなり、前記第一連結部と第二連結部は相互に幅方向にスライド且つ連結可能に形成している。
【０００８】
そして、下地に下部吊子を固定し、上部吊子の保持部に左右の屋根材側縁を保持して、この屋根材をスライド可能にするものであった。
【０００９】
しかしながら、例えば、夏場と冬場で前記吊子の取付け作業を行う場合には、前記屋根材を係止する前記保持部の取付け位置が異なる（夏場では吊子をスライド方向に伸ばした状態、冬場では吊子をスライド方向に縮めた状態）うえ、前記屋根材に複数の吊子を同じ長さの状態で取付ける必要がある。
【００１０】
そのため、作業者等が現場において、これら複数の吊子を同じ長さの状態で取付けることは困難であるうえ、作業時間を要し、又、前記吊子の長さの状態を誤って取付けてしまえば、前記屋根材（特に、金属製屋根材）が、温度変化による熱伸縮によって、破損する危険もあった。
【００１１】
本発明は、かかる課題を解決することを目的とするもので、吊子のスライド位置を夏場、冬場等の季節に応じて位置決め可能にして、複数の吊子を同じ長さの状態で簡単に取付けできる吊子を提供する。
【課題を解決するための手段】
【００１２】
前記目的を達成するため、
請求項１に係る吊子は、屋根の下地上に固定される取付基板に、屋根材係止片を設けた吊子本体を、スライド自在に取付けてなり、前記取付基板又は吊子本体の一方に凹部を形成し、他方に前記凹部に嵌合する凸部を形成してなる、前記取付基板及び吊子本体のスライド位置を仮決めする仮止め部を有しており、前記取付基板又は吊子本体の一方にスライド用長孔を形成すると共に、他方に前記スライド用長孔をスライド可能なスライド軸を固定する構造とし、前記仮止め部の凸部を前記スライド軸で構成する一方、前記仮止め部の凹部を前記スライド用長孔の適所に設けた、前記スライド軸のスライドを規制する規制部で構成しており、前記規制部は、前記スライド用長孔の長手方向の適所を、前記スライド軸の直径と略同幅な幅狭に形成してなることを特徴とする。
【００１３】
（削除）
【００１４】
（削除）
【発明の効果】
【００１５】
本発明によれば、次のような効果がある。
【００１６】
請求項１に係る吊子によれば、取付基板と吊子本体をスライド自在に取付けた前記取付基板及び吊子本体に、両者のスライド位置を仮決めする仮止め部を形成しているので、夏場、冬場等の季節に応じて前記仮止め部に合わせて吊子のスライド位置を位置決めできる。
【００１７】
そのため、作業者等が現場において、複数の吊子を同じ長さの状態で簡単に取付けることができ、この吊子に取付けされた前記屋根材（特に、金属製屋根材）が、温度変化による熱伸縮によって、破損する危険を防止できる。
【００１８】
また、仮止め部は、取付基板又は吊子本体の一方に凹部を形成し、他方に前記凹部に嵌合する凸部を形成しているので、前記凹部に凸部が嵌合して、前記吊子のスライド位置を確実に位置決めできる。
【００１９】
さらに、仮止め部は、取付基板又は吊子本体の一方に形成したスライド用長孔の適所に、他方のスライド軸（凸部）のスライドを規制する規制部（凹部）を設けてなるので、前記スライド用長孔を利用して吊子を簡易な構造にできるうえ、前記規制部にスライド軸が規制されて、前記吊子のスライド位置を確実に位置決めできる。
【発明を実施するための最良の形態】
【００２０】
以下、本発明に係る吊子Ａを図面とともに説明する。
【実施例１】
【００２１】
図１（ａ）は、本発明に係る吊子Ａの一参考例を示した分解斜視図であり、図１（ｂ）は、図１（ａ）を組み付けた状態の斜視図である。図２は、図１で示した吊子Ａの要部断面図である。
【００２２】
この吊子Ａは、屋根の下地上に固定される取付基板１に、屋根材係止片２１を設けた吊子本体２を、スライド自在に取付けてなる。
【００２３】
具体的には、取付基板１は、断面略Ｌ状に形成され、直立された直立板部１１には、スライド用長孔１２を水平長手方向に形成している。
【００２４】
又、直立板部１１に直交する水平板部１３には、屋根の下地上に固定するネジ、釘等の取付具（不図示）を貫通する取付孔１４を開設している。
【００２５】
なお、水平板部１３の適所には、補強用リブ１５を複数形成しており、吊子Ａの強度を高めている。
【００２６】
一方、吊子本体２は、直立板状に形成され、その上端には、左右方向に各々屋根材Ｙを係止する屋根材係止片２１を設けている。
【００２７】
本実施例では、吊子本体２の上端から中央に向けて、２箇所の切込み部２２を形成し、この切込み部２２に挟まれた一片を一方向に向けて折り曲げて一方の屋根材係止片２１ａを形成すると共に、他の二片を他方向に折り曲げて他方の屋根材係止片２１ｂを形成したものを例示している。
【００２８】
なお、屋根材係止片２１は、本参考例のものに限定されず、屋根材Ｙの側端縁を係止可能な形状であれば良く、屋根材Ｙの形状に応じて適宜選択できる。
【００２９】
又、吊子本体２には、スライド用長孔１２に重合すると共に、リベット３を挿通可能なリベット用挿通孔２３を開設している。
【００３０】
そして、取付基板１のスライド用長孔１２に、吊子本体２のリベット用挿通孔２３を重合したうえで、リベット３を一方向から貫通させて、先端をカシメ止めすれば、取付基板１と吊子本体２をスライド自在な状態で結合して一体的に形成できる。
【００３１】
本参考例では、このように取付基板１と吊子本体２をスライド自在にした吊子Ａの取付基板１又は吊子本体２の一方に、両者のスライド位置を仮決めする仮止め部４が形成されている。
【００３２】
具体的には、本参考例で示した仮止め部４は、取付基板１の直立板部１１のスライド用長孔１２下方に複数の凹部４１を間隔をあけて直線上に形成すると共に、吊子本体２には、凹部４１に対応する高さ位置（リベット用挿通孔２３の下方）に、１つの凸部４２を凹部４１に向けて突設してなる。
【００３３】
ここで、凹部４１とは、凸部４２を嵌合可能な構造であれば良く、この凸部４２を嵌合可能な貫通穴も含む意味である。
【００３４】
なお、本実施例では、複数の凹部４１と１つの凸部４２を形成したものを例示したが、凹部４１を単数に形成したり、凸部４２を複数形成することも可能であり、又、凹部４１及び凸部４２は、取付基板１及び吊子本体２に各々形成しているが、両者を入れ替えて、凹部４１を吊子本体２側に形成し、これに嵌合する凸部４２を取付基板１側に形成しても良いことは勿論である。
【００３５】
以上のように構成した本発明の参考例に係る吊子Ａは、以下の要領で使用する。
【００３６】
先ず、既に葺かれた屋根材Ｙの側端縁に、吊子Ａの一方の屋根材係止片２１ａを係止すると共に、取付基板１又は吊子本体２をスライドさせて、吊子本体２の凸部４２を、取付基板１の複数の内の所望の凹部４１に嵌合して、両者のスライド位置を仮決めする。
【００３７】
具体的には、夏場に吊子Ａの取付け作業を行う場合には、この吊子Ａをスライド方向に伸ばした位置で、吊子本体２の凸部４２を取付基板１の凹部４１に嵌合して両者のスライド位置を仮決めし、一方、冬場に吊子Ａの取付け作業を行う場合には、この吊子Ａをスライド方向に縮めた位置で、吊子本体２の凸部４２を取付基板１の凹部４１に嵌合して両者のスライド位置を仮決めする。
【００３８】
又、複数の凹部４１の各々に、例えば、「春」、「夏」、「秋」、「冬」等のような目印を設けておけば、凸部４２を嵌合する凹部４１の位置を誤ることがなく、取付基板１と吊子本体２のスライド位置を確実に仮決めできる。
【００３９】
次いで、水平板部１３の取付孔１４を通じて、ネジ、釘等の取付具（不図示）を貫通して、取付基板１を屋根の下地上に固定し、スライド位置を固定する。
【００４０】
なお、他の吊子（不図示）についても、前記と同要領で、所定間隔をあけて軒棟方向に固定する。
【００４１】
そして、このように取付けた吊子Ａの他方の屋根材係止片２１ｂ側に、他の屋根材Ｙ’の側端縁を各々配置し、図２中の矢印で示すように、他方の屋根材係止片２１ｂを下方に折り曲げて屋根材Ｙ’の側端縁を係止して、屋根材Ｙ、Ｙ’を下地上に葺くのである。
【００４２】
このように、本発明に係る吊子Ａによれば、取付基板１と吊子本体２をスライド自在に取付けた取付基板１及び吊子本体２に、両者のスライド位置を仮決めする仮止め部４（凹部４１及び凸部４２）を形成しているので、夏場、冬場等の季節に応じて仮止め部４（凹部４１及び凸部４２）に合わせて吊子Ａのスライド位置を位置決めできる。
【００４３】
そのため、作業者等が現場において、複数の吊子Ａを同じ長さの状態で簡単に取付けることができ、この吊子Ａに取付けされた前記屋根材Ｙ、Ｙ’（特に、金属製屋根材）が、温度変化による熱伸縮によって、破損する危険を確実に防止できる。
【実施例２】
【００４４】
図３は、本発明に係る吊子Ａの仮止め部４の実施例を示した取付基板１側から見た状態の側面図である。
【００４５】
なお、図１、２と共通する部位には、同一の符号を付して重複する説明を省略し、以下では、本実施例の特徴についてのみ説明する。
【００４６】
この吊子Ａは、仮止め部４が、取付基板１にスライド用長孔１２を形成すると共に、吊子本体２にスライド用長孔１２をスライド可能なリベット３等のスライド軸３１（凸部４２）を固定し、スライド用長孔１２の適所に、スライド軸３１（凸部４２）のスライドを規制する規制部１２ａ（凹部４１）を設けることによって形成してなる。
【００４７】
本実施例では、スライド用長孔１２の長手方向の適所を、スライド軸３１の直径と略同幅な幅狭に形成して、スライド軸３１のスライドを規制する規制部１２ａを設けてなる。
【００４８】
そのため、本実施例によれば、図１、２で示したような、凹部４１及び凸部４２を形成することなく、スライド用長孔１２を利用して吊子Ａを簡易な構造にできるうえ、規制部１２ａよりなる凹部４１にスライド軸３１よりなる凸部４２が規制されて、吊子Ａのスライド位置を確実に位置決めできる。
【図面の簡単な説明】
【００４９】
【図１】（ａ）は、本発明に係る吊子Ａの参考例を示した分解斜視図であり、（ｂ）は、（ａ）を組み付けた状態の斜視図である。
【図２】図１で示した吊子Ａの要部断面図である。
【図３】本発明に係る吊子Ａの仮止め部４の実施例を示した取付基板１側から見た状態の側面図である。
【符号の説明】
【００５０】
Ａ    吊子
Ｙ 、Ｙ’屋根材
１    取付基板
１２  スライド用長孔
１２ａ    規制部
２    吊子本体
２１  屋根材係止片
３１  スライド軸
４    仮止め部
４１  凹部
４２  凸部
【図１】
0005047001.tif 000002
【図２】
0005047001.tif 000003
【図３】
0005047001.tif 000004